(57)【要約】【課題】機器の不使用時におけるノイズ除去フィルタでの消費電力を零にする加熱装置を提供することを目的とする。【解決手段】第１の電源２０と、加熱手段２５と、第１の電源２０と加熱手段２５との間のノイズ除去フィルタ２３と、第１の電源２０とノイズ除去フィルタ２３間に設けた第１のオン・オフ切り替え手段２２と、第２のオン・オフ切り替え手段２８とを備え、第２のオン・オフ切り替え手段３２を操作して制御信号を発生させ、これに応じて第１のオン・オフ切り替え手段２２を駆動することにより加熱手段２５と第１の電源２０の接続状態を制御するようにした。これにより、第１のオン・オフ切り替え手段２２がオフすることにより電源２０と加熱装置２５を切り離すことができるので、機器の不使用時におけるノイズ除去フィルタ２３などでの消費電力を零とすることができる。【選択図】図１
2007042483.tif 000002
【特許請求の範囲】
【請求項１】
第１の電源と、前記第１の電源から電力が供給される加熱手段と、第１の電源と加熱手段との間に接続したノイズ除去フィルタと、第１の電源とノイズ除去フィルタ間に設けた第１のオン・オフ切り替え手段と、前記第１のオン・オフ切り替え手段を駆動する第２のオン・オフ切り替え手段とを備え、前記第２のオン・オフ切り替え手段を操作して制御信号を発生させ、前記制御信号に応じて第１のオン・オフ切り替え手段を駆動することにより加熱手段と第１の電源の接続状態を制御するようにした加熱装置。
【請求項２】
第２のオン・オフ切り替え手段の出力を受けて所定の制御信号を発生させる制御信号発生装置を備え、前記制御信号発生装置の制御信号により第１のオン・オフ切り替え手段を駆動し加熱手段への電源供給を制御する請求項１に記載の加熱装置。
【請求項３】
第２のオン・オフ切り替え手段の出力を受けて所定の制御信号を発生させる制御信号発生装置を備え、前記制御信号発生装置は第１のオン・オフ切り替え手段の駆動とは異なる制御信号により加熱手段の動作を制御する請求項１または２に記載の加熱装置。
【請求項４】
第２の電源と、前記第２の電源と第１の電源を電気的に接続する電力変換装置とを備え、前記電力変換装置の入力側の少なくとも一端は第１のオン・オフ切り替え手段が設けられている電源供給線の加熱手段側に接続され、前記電力変換装置の入力側の他端は前記電力変換装置が接続された電源供給線と異なる電源供給線に接続され、前記電力変換装置の出力側は第２の電源に接続され、前記第１のオン・オフ切り替え手段の駆動により前記第２の電源の充電をする請求項１〜３のいずれか１項に記載の加熱装置。
【請求項５】
第２の電源と、前記第２の電源と第１の電源を電気的に接続する電力変換装置と、第３のオン・オフ切り替え手段とを備え、前記第３のオン・オフ切り替え手段の少なくとも一端は第１のオン・オフ切り替え手段が設けられている電源供給線の前記第１の電源側に接続され、前記第３のオン・オフ切り替え手段の他端は前記第３のオン・オフ切り替え手段が接続された電源供給線と異なる電源供給線に接続され、前記電力変換装置は前記第３のオン・オフ切り替え手段と前記第２の電源に接続され、前記第３のオン・オフ切り替え手段の駆動により前記第２の電源を充電する請求項１〜３のいずれか１項に記載の加熱装置。
【請求項６】
第２の電源におけるエネルギーの残量を検出するエネルギー残量検出装置を備え、任意に設定した値になると前記エネルギー残量検出装置からの制御信号により第３のオン・オフ切り替え手段を駆動させ、第１の電源から電力変換装置を介して前記第２の電源にエネルギーを充電する請求項５に記載の加熱装置。
【請求項７】
時計を備え、任意に設定した時刻になると第３のオン・オフ切り替え手段を駆動し、第１の電源から電力変換装置を介して第２の電源にエネルギーを充電する請求項５または６に記載の加熱装置。
【請求項８】
カウントタイマを備え、任意に設定した時間が経過すると第３のオン・オフ切り替え手段を駆動し、第１の電源から電力変換装置を介して第２の電源にエネルギーを充電する請求項５〜７のいずれか１項に記載の加熱装置。
【請求項９】
第２の電源における情報を報知する報知手段を備えた請求項４〜８のいずれか１項に記載の加熱装置。
【請求項１０】
第２の電源は、充放電可能なコンデンサを用いてエネルギーの蓄積を行う請求項４〜９のいずれか１項に記載の加熱装置。
【請求項１１】
第２の電源は、充放電可能な二次電池を用いてエネルギーの蓄積を行う請求項４〜９のいずれか１項に記載の加熱装置。
【請求項１２】
第２の電源は、充放電不可能な一次電池を用いてエネルギーの蓄積を行う請求項４〜９のいずれか１項に記載の加熱装置。
【発明の詳細な説明】
【技術分野】
【０００１】
本発明は、機器が電源に接続されていると機器が不使用時にも消費されていた電力（待機電力など）を零にするようにした加熱装置に関するものである。
【背景技術】
【０００２】
従来、加熱装置として、高周波磁界で被加熱物体を加熱するための誘導加熱コイルを有する誘導加熱装置がよく知られている（例えば、特許文献１参照）。
【０００３】
これは、図８に示すような構成である。第１の電源１０の端子１０ａと１０ｂは電源プラグ１１の入力端子１１ａと１１ｂを介して加熱装置に接続される。電源プラグ１１の出力端子１１ｃと１１ｄはノイズ除去フィルタ１２の入力端子１２ａと１２ｂに接続される。ノイズ除去フィルタ１２の出力端子１２ｃは第１のオン・オフ切り替え手段１３の片端子１３ａと第２のオン・オフ切り替え手段１４の片端子１４ａに接続され、第１のオン・オフ切り替え手段１３の他端子１３ｂと第２のオン・オフ切り替え手段１４の他端子１４ｂ、ノイズ除去フィルタ１２の出力端子１２ｄは整流器１５の入力端子１５ｂに接続される。
【０００４】
整流器１５の出力端子１５ｃと１５ｄは加熱手段（インバータ回路）１６の入力端子１６ａと冷却装置１７の入力端子１７ａ、加熱手段（インバータ回路）１６の入力端子１６ｂと冷却装置１７の入力端子１７ｂにそれぞれ接続される。加熱手段（インバータ回路）１６の出力端子１６ｃと１６ｄは磁束を発生させる加熱部（ワークコイル）１８の入力端子１８ａと１８ｂに接続される。加熱部（ワークコイル）１８より発生する磁束を鍋などの被加熱物体に与えることにより被加熱物体が加熱される。
【０００５】
第１のオン・オフ切り替え手段１３の出力端子１３ｃと１３ｄは、制御信号発生装置１９の入力端子１９ａと１９ｄに接続される。第２のオン・オフ切り替え手段１４の入力端子１４ｃと１４ｄは制御信号発生装置１９の出力端子１９ｂと１９ｃに接続される。制御信号発生装置１９の出力端子１９ｆと１９ｇは加熱手段（インバータ回路）１６の入力端子１６ｆと冷却装置１７の入力端子１７ｃ、加熱手段（インバータ回路）１６の入力端子１６ｇと冷却装置１７の入力端子１７ｄにそれぞれ接続される。
【０００６】
上記構成における動作を説明する。第１のオン・オフ切り替え手段１３をオンすると、第１の電源１０から電源プラグ１１、加熱手段１６などから発生する電磁ノイズを前記第１の電源１０に伝達しないように取り付けられたノイズ除去フィルタ１２、前記第１のオン・オフ切り替え手段１３と第２のオン・オフ切り替え手段１４を介して整流器１５に電源が供給される。前記整流器１５の出力端子１５ｃと１５ｄには正の成分だけをもつ電源が出力される。前記整流器１５の出力電源は前記加熱手段１６と冷却装置１７にそれぞれ供給される。前記加熱手段１６に供給された電源は前記加熱手段１６によって電源形態を、例えば高周波交流電源に変換し、加熱部１８に供給される。前記加熱部１８に供給された電源は前記加熱部１８により高周波磁界を発生し、前記高周波磁界で被加熱物体を加熱することにより加熱装置として動作する。なお、前記加熱手段１６が動作しているときは第２のオン・オフ切り替え手段１４は常にオンしている。
【０００７】
さらに、冷却装置１７に供給された電源は、例えばファンのようなもので加熱装置を冷却することに利用される。
【０００８】
また、第１のオン・オフ切り替え手段１３をオフすると、前記第１のオン・オフ切り替え手段１３のオフ動作を検知し制御信号発生装置１９から第１のオン・オフ切り替え手段１３、加熱手段１６、冷却装置１７のそれぞれにタイミングの異なる信号を発信することにより動作に時間の差を生じさせる。まず、前記加熱手段１６を停止することで加熱を停止するが、冷却装置１７は動作を続けることにより、加熱装置を前記冷却装置１７によって冷却を行う。その後、前記加熱装置の冷却が完了すると時間の差を持った制御信号により冷却装置１７を停止し、第２のオン・オフ切り替え手段１４をオフすることにより加熱装置は停止する。
【０００９】
以上のように、従来の回路構成では、ノイズ除去フィルタ１２と加熱手段１６の電力供給線間に設けられた第１のオン・オフ切り替え手段１３と第２のオン・オフ切り替え手段１４を制御することにより前記加熱手段１６や冷却装置１７などに電源の接続状態を制御している。
【特許文献１】特開２００５−５０７２１号公報
【発明の開示】
【発明が解決しようとする課題】
【００１０】
しかしながら、前記従来の構成では、常時ノイズ除去フィルタ１２は電源１０と接続されているため、機器の不使用時にもノイズ除去フィルタ１２に微弱の電流が流れ電力を消費していた。また、ノイズ除去フィルタ１２の一部を電源１０から切り離す提案は既になされているが、機器の不使用時のノイズ除去フィルタ１２での消費電力を零とするものではない。
【００１１】
本発明は、前記従来の課題を解決するもので、加熱手段と電源の接続状態を制御していたオン・オフ切り替え手段を工夫することにより、機器の不使用時におけるノイズ除去フィルタでの消費電力を零にする加熱装置を提供することを目的とするものである。
【課題を解決するための手段】
【００１２】
前記従来の課題を解決するために、本発明の加熱装置は、第１の電源と、前記第１の電源から電力が供給される加熱手段と、第１の電源と加熱手段との間に接続したノイズ除去フィルタと、第１の電源とノイズ除去フィルタ間に設けた第１のオン・オフ切り替え手段と、前記第１のオン・オフ切り替え手段を駆動する第２のオン・オフ切り替え手段とを備え、前記第２のオン・オフ切り替え手段を操作して制御信号を発生させ、前記制御信号に応じて第１のオン・オフ切り替え手段を駆動することにより加熱手段と第１の電源の接続状態を制御するようにしたものである。
【００１３】
これにより、第１のオン・オフ切り替え手段がオフすることにより電源と加熱装置を切り離すことができるので、機器の不使用時におけるノイズ除去フィルタなどでの消費電力を零とすることができる。
【発明の効果】
【００１４】
本発明の加熱装置は、機器の不使用時におけるノイズ除去フィルタなどでの消費電力を零にすることができる。
【発明を実施するための最良の形態】
【００１５】
第１の発明は、第１の電源と、前記第１の電源から電力が供給される加熱手段と、第１の電源と加熱手段との間に接続したノイズ除去フィルタと、第１の電源とノイズ除去フィルタ間に設けた第１のオン・オフ切り替え手段と、前記第１のオン・オフ切り替え手段を駆動する第２のオン・オフ切り替え手段とを備え、前記第２のオン・オフ切り替え手段を操作して制御信号を発生させ、前記制御信号に応じて第１のオン・オフ切り替え手段を駆動することにより加熱手段と第１の電源の接続状態を制御するようにした加熱装置とすることにより、第１のオン・オフ切り替え手段がオフすることにより電源と加熱装置を切り離すことができるので、機器の不使用時におけるノイズ除去フィルタなどでの消費電力を零とすることができる。
【００１６】
第２の発明は、特に、第１の発明において、第２のオン・オフ切り替え手段の出力を受けて所定の制御信号を発生させる制御信号発生装置を備え、前記制御信号発生装置の制御信号により第１のオン・オフ切り替え手段を駆動し加熱手段への電源供給を制御することにより、第２のオン・オフ切り替え手段より発生した信号を第１のオン・オフ切り替え手段の動作に適した信号に変換して前記第１のオン・オフ切り替え手段をオン・オフすることができるので、例えば、第２のオン・オフ切り替え手段をオフしても一定期間は電源を供給し続ける制御にすることにより、第２のオン・オフ切り替え手段をオフした直後は加熱部が熱いため警告ランプを点灯させるなど、使用者の注意を促すことができ使用者の安全性を向上させることができる。さらに、第２のオン・オフ切り替え手段をオフしたとき加熱手段は動作を停止するが、冷却装置は一定期間動作し続ける制御にすることにより、前記加熱手段などから発生していた電磁ノイズが第１の電源に伝達するのを抑制するためにノイズ除去フィルタと前記加熱手段の電源供給線間に設けられていた第１のオン・オフ切り替え手段を、電源とノイズ除去フィルタの電源供給線間に設けることができるので、加熱装置の不使用時の消費電力を零にすることができる。
【００１７】
第３の発明は、特に、第１または第２の発明において、第２のオン・オフ切り替え手段の出力を受けて所定の制御信号を発生させる制御信号発生装置を備え、前記制御信号発生装置は第１のオン・オフ切り替え手段の駆動とは異なる制御信号により加熱手段の動作を制御することにより、第１のオン・オフ切り替え手段、加熱手段、冷却装置などそれぞれにタイミングの異なる信号を発信することにより動作に時間の差を生じさせることができるため、例えば、第２のオン・オフ切り替え手段をオフすると加熱手段は停止させるが、冷却装置は一定期間動作させる期間を設けることができるので、加熱手段の温度を素早く下げることができ、部品の長寿命化や使用者の安全性の向上を図ることができる。
【００１８】
第４の発明は、特に、第１〜第３のいずれか１つの発明において、第２の電源と、前記第２の電源と第１の電源を電気的に接続する電力変換装置とを備え、前記電力変換装置の入力側の少なくとも一端は第１のオン・オフ切り替え手段が設けられている電源供給線の加熱手段側に接続され、前記電力変換装置の入力側の他端は前記電力変換装置が接続された電源供給線と異なる電源供給線に接続され、前記電力変換装置の出力側は第２の電源に接続され、前記第１のオン・オフ切り替え手段の駆動により前記第２の電源の充電をすることにより、第１のオン・オフ切り替え手段がオンになっている時に第１の電源と第２の電源が電気的に接続しているため、前記第１の電源から前記第２の電源に電気エネルギーを充電することができ、前記第１のオン・オフ切り替え手段がオフになっている時に前記第２の電源から第２のオン・オフ切り替え手段に供給している電気エネルギーを補充することができるので、第２の電源を利用して動作している機器を常に動作させ使用者の情報を読み取り動作に反映させたり、機器の異常を警告したりして安全性を向上させることができる。
【００１９】
第５の発明は、特に、第１〜第３のいずれか１つの発明において、第２の電源と、前記第２の電源と第１の電源を電気的に接続する電力変換装置と、第３のオン・オフ切り替え手段とを備え、前記第３のオン・オフ切り替え手段の少なくとも一端は第１のオン・オフ切り替え手段が設けられている電源供給線の前記第１の電源側に接続され、前記第３のオン・オフ切り替え手段の他端は前記第３のオン・オフ切り替え手段が接続された電源供給線と異なる電源供給線に接続され、前記電力変換装置は前記第３のオン・オフ切り替え手段と前記第２の電源に接続され、前記第３のオン・オフ切り替え手段の駆動により前記第２の電源を充電することにより、第３のオン・オフ切り替え手段により第１の電源と第２の電源の接続状態を制御できるため、第１のオン・オフ切り替え手段の動作に関わらず前記第１の電源から前記第２の電源に電気エネルギーを充電することができ、前記第２の電源から第２のオン・オフ切り替え手段に供給している電気エネルギーを補充することができるので、第２の電源を利用して動作している機器を常に動作させ使用者の情報を読み取り動作に反映させたり、機器の異常を警告したりして安全性を向上させることができる。
【００２０】
第６の発明は、特に、第５の発明において、第２の電源におけるエネルギーの残量を検出するエネルギー残量検出装置を備え、任意に設定した値になると前記エネルギー残量検出装置からの制御信号により第３のオン・オフ切り替え手段を駆動させ、第１の電源から電力変換装置を介して前記第２の電源にエネルギーを充電することにより、第２の電源における電気エネルギーの残量が減少した時に第１の電源から電力変換装置と第３のオン・オフ切り替え手段を介して前記第２の電源にエネルギーを充電することができ、エネルギーを最小限の時間で効率よく補充することができるので、第２の電源を利用して動作している機器を常に動作させ使用者の情報を読み取り動作に反映させたり、機器の異常を警告したりして安全性を向上させることができる。
【００２１】
第７の発明は、特に、第５または第６の発明において、時計を備え、任意に設定した時刻になると第３のオン・オフ切り替え手段を駆動し、第１の電源から電力変換装置を介して第２の電源にエネルギーを充電することにより、任意に設定した時刻になると第３のオン・オフ切り替え手段を操作し、第１の電源から電力変換装置を介して第２の電源にエネルギーを充電することができ、エネルギーを最小限の時間で効率よく補充することができるので、第２の電源を利用して動作している機器を常に動作させ使用者の情報を読み取り動作に反映させたり、機器の異常を警告したりして安全性を向上させることができる。
【００２２】
第８の発明は、特に、第５〜第７のいずれか１つの発明において、カウントタイマを備え、任意に設定した時間が経過すると第３のオン・オフ切り替え手段を駆動し、第１の電源から電力変換装置を介して第２の電源にエネルギーを充電することにより、任意に設定した時間が経過した時に第３のオン・オフ切り替え手段を操作し、第１の電源から電力変換装置を介して第２の電源にエネルギーを充電することができ、エネルギーを最小限の時間で効率よく補充することができるので、第２の電源を利用して動作している機器を常に動作させ使用者の情報を読み取り動作に反映させたり、機器の異常を警告したりして安全性を向上させることができる。
【００２３】
第９の発明は、特に、第４〜第８のいずれか１つの発明において、第２の電源における情報を報知する報知手段を備えたことにより、第２の電源におけるエネルギーの残量が減少すると視覚・聴覚などで報知して、前記第２の電源の充電時期または交換時期を知らせ、前記第２の電源のエネルギー量を一定以上に保つことができるので、第２の電源を利用して動作している機器を常に動作させ使用者の情報を読み取り動作に反映させたり、機器の異常を警告したりして安全性を向上させたりすることができる。
【００２４】
第１０の発明は、特に、第４〜第９のいずれか１つの発明において、第２の電源は、充放電可能なコンデンサを用いてエネルギーの蓄積を行うことにより、第２の電源は充放電可能なため、前記第２の電源のエネルギーが減少しても第１の電源から電力変換装置を介して第２の電源にエネルギーを充電できるため、第２の電源はメンテナンス不要とすることができる。
【００２５】
第１１の発明は、特に、第４〜第９のいずれか１つの発明において、第２の電源は、充放電可能な二次電池を用いてエネルギーの蓄積を行うことにより、第２の電源は充放電可能なため、前記第２の電源のエネルギーが減少しても第１の電源から電力変換装置を介して第２の電源にエネルギーを充電できるため、第２の電源はメンテナンス不要とすることができる。
【００２６】
第１２の発明は、特に、第４〜第９のいずれか１つの発明において、第２の電源は、充放電不可能な一次電池を用いてエネルギーの蓄積を行うことにより、第２の電源は充電不可能なため、第１の電源と前記第２の電源は電気的に接続されず、加熱装置の不使用時における消費電力を零にすることができ、かつ、電力変換装置と第３のオン・オフ切り替え手段が不要となり安価な構成にすることが可能である。
【００２７】
以下、本発明の実施の形態について、図面を参照しながら説明する。なお、この実施の形態によって本発明が限定されるものではない。
【００２８】
（実施の形態１）
図１は、本発明の実施の形態１における加熱装置として、高周波磁界で被加熱物体を加熱するための誘導加熱コイルを有する誘導加熱装置の構成を示している。
【００２９】
図に示すように、第１の電源２０と、第１の電源２０から電力が供給される加熱手段２５と、第１の電源２０と加熱手段（インバータ回路）２５との間に接続したノイズ除去フィルタ２３と、第１の電源２０とノイズ除去フィルタ２３間に設けた第１のオン・オフ切り替え手段２２と、前記第１のオン・オフ切り替え手段２２を駆動する第２のオン・オフ切り替え手段２８とを備えている。そして、第２のオン・オフ切り替え手段２８を操作して制御信号を発生させ、この制御信号に応じて第１のオン・オフ切り替え手段２２を駆動することにより加熱手段２５と第１の電源２０の接続状態を制御するようにしている。
【００３０】
具体構成は、第１の電源２０の端子２０ａと２０ｂは、電源プラグ２１の入力端子２１ａと２１ｂを介して加熱装置に接続される。電源プラグ２１の出力端子２１ｃは第１のオン・オフ切り替え手段２２の片端子２２ａに接続され、第１のオン・オフ切り替え手段２２の他端子２２ｂと電源プラグ２１の出力端子２１ｄはノイズ除去フィルタ２３の入力端子２３ａと２３ｂに接続される。ノイズ除去フィルタ２３の出力端子２３ｃと２３ｄは整流器２４の入力端子２４ａと２４ｂに接続される。整流器２４の出力端子２４ｃと２４ｄは加熱手段２５の入力端子２５ａと冷却装置２６の入力端子２６ａ、加熱手段２５の入力端子２５ｂと冷却装置２６の入力端子２６ｂにそれぞれ接続される。加熱手段２５の出力端子２５ｃと２５ｄは磁束を発生させる加熱部（ワークコイル）２７の入力端子２７ａと２７ｂに接続される。加熱部２７より発生する磁束を鍋などの被加熱物体に与えることにより、被加熱物体が加熱される。
【００３１】
第１のオン・オフ切り替え手段２２の入力端子２２ｃと２２ｄは第２のオン・オフ切り替え手段２８の出力端子２８ａと２８ｂに接続される。
【００３２】
次に、上記構成における動作を説明する。
【００３３】
機器使用者が第２のオン・オフ切り替え手段２８をオン操作すると、前記第２のオン・オフ切り替え手段２８から発信する制御信号を第１のオン・オフ切り替え手段２２が受信し、前記第１のオン・オフ切り替え手段２２がオンする。前記第１のオン・オフ切り替え手段２２がオンすると、第１の電源２０から電源プラグ２１と前記第１のオン・オフ切り替え手段２２を介して、加熱手段２５などから発生する電磁ノイズを前記第１の電源２０に伝達しないように取り付けられたノイズ除去フィルタ２３に電源が供給される。前記ノイズ除去フィルタ２３を通過した電源は整流器２４に供給され、前記整流器２４の出力端子２４ｃと２４ｄには正の成分だけをもつ電源が出力される。前記整流器２４の出力電源は前記加熱手段２５と冷却装置２６にそれぞれ供給される。前記加熱手段２５に供給された電源は前記加熱手段２５によって電源形態を、例えば高周波交流電源に変換し、加熱部２７に供給される。前記加熱部２７に供給された電源は前記加熱部２７により高周波磁界を発生し、前記高周波磁界で被加熱物体を加熱することにより加熱装置として動作する。
【００３４】
さらに、冷却装置２６に供給された電源は、例えばファンのようなもので加熱装置を冷却することに利用される。
【００３５】
また、第２のオン・オフ切り替え手段２８をオフすると、前記第２のオン・オフ切り替え手段２８から発信する制御信号を第１のオン・オフ切り替え手段２２が受信し、前記第１のオン・オフ切り替え手段２２がオフすることにより、ノイズ除去フィルタ２３、整流器２４、加熱手段２５、冷却装置２６、加熱部２７に電源が供給されず加熱装置は停止する。
【００３６】
上記構成において、第１のオン・オフ切り替え手段２２が電源プラグ２１とノイズ除去フィルタ２３の間の電力供給線に接続されていることにより、前記ノイズ除去フィルタ２３を含めた加熱装置全体と第１の電源２０を完全に分離すことができるので、加熱装置の不使用時の消費電力を零にすることができる。
【００３７】
さらに、第２のオン・オフ切り替え手段２８を操作することにより、第１のオン・オフ切り替え手段２２を制御でき、加熱手段２５に第１の電源２０を供給するか遮断するかを制御することができるので、加熱装置の不使用時の消費電力を零にすることができる。
【００３８】
また、第２のオン・オフ切り替え手段２８を用いることにより、前記第２のオン・オフ切り替え手段２８は直接大電流をオン・オフしていないため、大電流が流れる電力供給線を前記第２のオン・オフ切り替え手段２８まで配線する必要がなく、前記第２のオン・オフ切り替え手段２８を小型軽量化し操作しやすくすることができる。
【００３９】
以上のように、本実施の形態では、第１の電源２０と、前記第１の電源２０から電力が供給される加熱手段２５と、第１の電源２０と加熱手段２５との間に接続したノイズ除去フィルタ２３と、第１の電源２０とノイズ除去フィルタ２３間に設けた第１のオン・オフ切り替え手段２２と、前記第１のオン・オフ切り替え手段２２を駆動する第２のオン・オフ切り替え手段２８とを備え、前記第２のオン・オフ切り替え手段２８を操作して制御信号を発生させ、前記制御信号に応じて第１のオン・オフ切り替え手段２２を駆動することにより加熱手段２５と第１の電源２０の接続状態を制御するようにすることで、第１のオン・オフ切り替え手段２２がオフすることにより電源２０と加熱装置２５を切り離すことができるので、機器の不使用時におけるノイズ除去フィルタ２３などでの消費電力を零とすることができる。
【００４０】
（実施の形態２）
図２は、本発明の実施の形態２における加熱装置としての誘導加熱装置の構成を示している。実施の形態１と同一要素については同一符号を付してその説明を省略し、相違点を中心に説明する。
【００４１】
本実施の形態においては、第２のオン・オフ切り替え手段２８の出力を受けて所定の制御信号を発生させる制御信号発生装置２９を備え、前記制御信号発生装置２９の制御信号により第１のオン・オフ切り替え手段２２を駆動し加熱手段２５への電源供給を制御するようにしたものである。具体構成は、制御信号発生装置２９の入力端子２９ａと２９ｂは第２のオン・オフ切り替え手段２８の出力端子２８ａと２８ｂに接続され、制御信号発生装置２９の出力端子２９ｃと２９ｄは第１のオン・オフ切り替え手段２２の入力端子２２ｃと２２ｄに接続され、制御信号発生装置２９の出力端子２９ｅと２９ｆは加熱手段２５の入力端子２５ｆと冷却装置２６の入力端子２６ｄ、加熱手段２５の入力端子２５ｅと冷却装置２６の入力端子２６ｃにそれぞれ接続されている。
【００４２】
次に、上記構成における動作を説明する。第２のオン・オフ切り替え手段２８をオンすると、前記第２のオン・オフ切り替え手段２８から発信する制御信号を制御信号発生装置２９が受信し、前記制御信号発生装置２９が前記第２のオン・オフ切り替え手段２８から受信した信号に同期した制御信号を発信することにより第１のオン・オフ切り替え手段２２がオンし、加熱手段２５と冷却装置２６が動作する。その後、何らかの手段によって加熱手段２５に駆動信号を与えることにより加熱動作を開始する。
【００４３】
さらに、第２のオン・オフ切り替え手段２８をオンすると、前記第２のオン・オフ切り替え手段２８から発信する制御信号を制御信号発生装置２９が受信し、前記制御信号発生装置２９が前記第２のオン・オフ切り替え手段２８から受信した信号に同期した制御信号を、第１のオン・オフ切り替え手段２２、加熱手段２５、冷却装置２６へそれぞれにタイミングの異なる信号を発信することにより、動作に時間の差を生じさせる。まず、前記加熱手段２５を停止することで加熱を停止するが冷却装置２６は動作を続けることにより加熱装置を前記冷却装置２６によって冷却を行う。その後、前記加熱装置の冷却が完了すると時間の差を持った制御信号により冷却装置２６を停止し、第１のオン・オフ切り替え手段２２をオフする。
【００４４】
上記構成において、第２のオン・オフ切り替え手段２８より発生した信号を第１のオン・オフ切り替え手段２２の動作に適した信号に変換して前記第１のオン・オフ切り替え手段２２をオン・オフすることができるので、例えば、第２のオン・オフ切り替え手段２８をオフしても一定期間は電源を供給し続ける制御にすることにより、第１のオン・オフ切り替え手段２２をオフした直後は加熱部２７などが熱いため、警告ランプを点灯させるなど使用者の注意を促すことができ、使用者の安全性を向上させることができる。
【００４５】
さらに、加熱手段２５が動作し被加熱物体を加熱している時に第２のオン・オフ切り替え手段２８を操作し加熱停止動作を行う。この操作により制御信号発生装置２９が制御信号を出力し、信号を受けた前記加熱手段２５は前記加熱手段２５を停止し加熱を止めるが、冷却装置２６は加熱装置の冷却のため動作を続ける。この動作により前記加熱手段２５の温度を素早く下げることができ、部品の長寿命化や使用者の安全性の向上を図ることができる。
【００４６】
また、加熱手段２５が動作し被加熱物体を加熱している時に第２のオン・オフ切り替え手段２８を操作すると、制御信号発生装置２９を介して前記第２のオン・オフ切り替え手段２８を操作した時よりも時間の異なる信号が第１のオン・オフ切り替え手段２２に発信され、一定期間後に前記第１のオン・オフ切り替え手段２２をオフすることにより、冷却装置２６の電源供給を確保し、かつ、前記冷却装置停止後は加熱装置全体と第１の電源２０を完全に分離すことができるので、加熱装置の不使用時の消費電力を零にすることができる。
【００４７】
また、第２のオン・オフ切り替え手段２８をオフしたとき加熱手段２５は動作を停止するが冷却装置２６は一定期間動作し続ける制御にすることにより、前記加熱手段２５などから発生していた電磁ノイズが第１の電源２０に伝達するのを抑制するためにノイズ除去フィルタ２３と前記加熱手段２５の電源供給線間に設けられていた第１のオン・オフ切り替え手段２２を電源プラグ２１とノイズ除去フィルタ２３の電源供給線間に設けることができるので、加熱装置の不使用時の消費電力を零にすることができる。
【００４８】
以上のように、本実施の形態では、第２のオン・オフ切り替え手段２８の出力を受け所定の制御信号を発生させる制御信号発生装置２９を備え、前記制御信号発生装置２９の異なるタイミングの制御信号により加熱手段２５の動作を制御することで、加熱手段２５の停止と冷却装置２６の停止に時間の差を設けることができるため、加熱装置の温度を素早く下げることができ、部品の長寿命化や使用者の安全性の向上を図ることができるとともに加熱装置の不使用時の消費電力を零にすることができる。
【００４９】
（実施の形態３）
図３は、本発明の実施の形態３における加熱装置としての誘導加熱装置の構成を示している。実施の形態１、２と同一要素については同一符号を付してその説明を省略し、相違点を中心に説明する。
【００５０】
本実施の形態においては、第２の電源３０と、前記第２の電源３０と第１の電源２０を電気的に接続する電力変換装置３１とを備え、前記電力変換装置３１の入力側の少なくとも一端は第１のオン・オフ切り替え手段２２が設けられている電源供給線の加熱手段２５側に接続され、前記電力変換装置３１の入力側の他端は前記電力変換装置３１が接続された電源供給線と異なる電源供給線に接続され、前記電力変換装置３１の出力側は第２の電源３０に接続され、前記第１のオン・オフ切り替え手段２２の駆動により前記第２の電源３０の充電をするようにしている。具体構成は、第２の電源３０の出力端子３０ａと３０ｂは第２のオン・オフ切り替え手段２８の入力端子２８ｃと制御信号発生装置２９の入力端子２９ｇ、第２のオン・オフ切り替え手段２８の入力端子２８ｄと制御信号発生装置２９の入力端子２９ｈにそれぞれ接続され、第２の電源３０の入力端子３０ｃと３０ｄは電力変換装置３１の出力端子３１ａと３１ｂに接続され、電力変換装置３１の入力端子３１ｃと３１ｄは電源プラグ２１の出力端子２１ｄとノイズ除去フィルタ２３の入力端子２３ｂの間、第１のオン・オフ切り替え手段２２の端子２２ｂとノイズ除去フィルタ２３の入力端子２３ａの間にそれぞれ接続される。
【００５１】
次に、上記構成における動作を説明する。第２のオン・オフ切り替え手段２８や制御信号発生装置２９は第２の電源３０をエネルギー源として動作を行う。
【００５２】
さらに、第１のオン・オフ切り替え手段２２がオンしているときは電力変換装置３１を介して第２の電源３０の充電を行う。
【００５３】
上記構成において、第２の電源３０を用いることにより、第２のオン・オフ切り替え手段２８と制御信号発生装置２９の電源を確保できるので、第１のオン・オフ切り替え手段２２がオフで加熱手段２５などに電力が供給されていない時も前記第２のオン・オフ切り替え手段２８と前記制御信号発生装置２９の動作が可能となり、前記第１のオン・オフ切り替え手段２２がオフからオンに移行する時に前記第１のオン・オフ切り替え手段２２に加える制御信号を容易に発信することができる。
【００５４】
さらに、第２の電源３０を用いることにより、第２のオン・オフ切り替え手段２８と制御信号発生装置２９の電源を確保できるので、製品の異常など製品情報の報知が必要な時は第１の電源２０を利用せず第２の電源３０を利用して報知することができ、加熱装置の不使用時の消費電力を零にすることができる。
【００５５】
また、電力変換装置３１を図３に示すように接続することにより、第１のオン・オフ切り替え手段２２がオンの時に、第１の電源２０の形態から前記電力変換装置３１で第２の電源３０の形態に変化し前記第２の電源３０を充電することができるので、前記第２の電源３０のエネルギー蓄積量を一定以上に保つことができ、第２のオン・オフ切り替え手段２８と制御信号発生装置２９に常に電源を供給することができる。
【００５６】
以上のように、本実施の形態では、第２の電源３０と、前記第２の電源３０と第１の電源２０を電気的に接続する電力変換装置３１とを備え、前記電力変換装置３１の入力側の少なくとも一端は第１のオン・オフ切り替え手段２２が設けられている電源供給線の加熱手段２５側に接続され、前記電力変換装置３１の入力側の他端は前記電力変換装置３１が接続された電源供給線と異なる電源供給線に接続され、前記電力変換装置３１の出力側は第２の電源３０に接続され、前記第１のオン・オフ切り替え手段２２の駆動により前記第２の電源３０の充電をするようにしていることで、第１のオン・オフ切り替え手段がオンになっている時に第１の電源と第２の電源が電気的に接続しているため、前記第１の電源から前記第２の電源に電気エネルギーを充電することができ、前記第１のオン・オフ切り替え手段がオフになっている時に前記第２の電源から第２のオン・オフ切り替え手段に供給している電気エネルギーを補充することができるので、第２の電源を利用して動作している機器を常に動作させ使用者の情報を読み取り動作に反映させたり、機器の異常を警告したりして安全性を向上させることができる。
【００５７】
（実施の形態４）
図４は、本発明の実施の形態４における加熱装置としての誘導加熱装置の構成を示している。実施の形態１〜３と同一要素については同一符号を付してその説明を省略し、相違点を中心に説明する。
【００５８】
本実施の形態においては、第２の電源３０と、前記第２の電源３０と第１の電源２０を電気的に接続する電力変換装置３１と、第３のオン・オフ切り替え手段３２とを備え、前記第３のオン・オフ切り替え手段３２の少なくとも一端は第１のオン・オフ切り替え手段２２が設けられている電源供給線の前記第１の電源２０側に接続され、前記第３のオン・オフ切り替え手段３２の他端は前記第３のオン・オフ切り替え手段３２が接続された電源供給線と異なる電源供給線に接続され、前記電力変換装置３１は前記第３のオン・オフ切り替え手段３２と前記第２の電源３０に接続され、前記第３のオン・オフ切り替え手段３２の駆動により前記第２の電源３０を充電するようにしている。
【００５９】
また、第２の電源３０におけるエネルギーの残量を検出するエネルギー残量検出装置３３を備え、任意に設定した値になると前記エネルギー残量検出装置３３からの制御信号により第３のオン・オフ切り替え手段３２を駆動させ、第１の電源２０から電力変換装置３１を介して前記第２の電源３０にエネルギーを充電するようにしている。
【００６０】
具体構成は、電力変換装置３１の入力端子３１ｃと３１ｄは第３のオン・オフ切り替え手段３２の出力端子３２ａと３２ｂに接続され、第３のオン・オフ切り替え手段３２の入力端子３２ｃと３２ｄは電源プラグ２１の出力端子２１ｄとノイズ除去フィルタ２３の入力端子２３ｂの間、電源プラグ２１の出力端子２１ｃと第１のオン・オフ切り替え手段２２の端子２２ａ間にそれぞれ接続され、エネルギー残量検出装置３３の入力端子３３ａと３３ｂは第２の電源３０の出力端子３０ｅと３０ｆに接続され、エネルギー残量検出装置３３の出力端子３３ｃと３３ｄは第３のオン・オフ切り替え手段３２の入力端子３２ｅと３２ｆに接続される。
【００６１】
次に、上記構成における動作を説明する。第２の電源３０のエネルギー蓄積量をエネルギー残量検出装置３３が検出し、エネルギー蓄積量が減少すると、前記エネルギー残量検出装置３３が制御信号を出力し第３のオン・オフ切り替え手段３２をオンすることにより第２の電源３０の充電を開始する。
【００６２】
さらに、第２の電源３０の充電が完了するとエネルギー残量検出装置３３が制御信号を出力し、第３のオン・オフ切り替え手段３２をオフすることにより、第２の電源３０の充電を停止する。
【００６３】
上記構成において、第３のオン・オフ切り替え手段３２を用いることにより、第１のオン・オフ切り替え手段２２の状態に関わらず第１の電源２０と電力変換装置３１の接続状態を制御でき、任意のタイミングで第２の電源３０にエネルギーを充電することができるため、前記第２の電源３０のエネルギー蓄積量が一定以上減少したときに前記第２の電源３０に充電することが可能となり、効率よくエネルギーを補充することができる。
【００６４】
さらに、エネルギー残量検出装置３３を用いることにより、第２の電源３０のエネルギー残量を検出することができ、前記第２の電源３０のエネルギー蓄積量が一定以上減少した時に前記エネルギー残量検出装置３３より制御信号を第３のオン・オフ切り替え手段３２に発信し、前記第３のオン・オフ切り替え手段３２を駆動して前記第２の電源３０に充電することにより、効率よくエネルギーを補充することができる。
【００６５】
以上のように、本実施の形態では、第２の電源３０と、前記第２の電源３０と第１の電源２０を電気的に接続する電力変換装置３１と、第３のオン・オフ切り替え手段３２とを備えたことにより、第３のオン・オフ切り替え手段により第１の電源と第２の電源の接続状態を制御できるため、第１のオン・オフ切り替え手段の動作に関わらず前記第１の電源から前記第２の電源に電気エネルギーを充電することができ、前記第２の電源から第２のオン・オフ切り替え手段に供給している電気エネルギーを補充することができるので、第２の電源を利用して動作している機器を常に動作させ使用者の情報を読み取り動作に反映させたり機器の異常を警告して安全性を向上させることができる。
【００６６】
また、第２の電源３０におけるエネルギーの残量を検出するエネルギー残量検出装置３３を備えたことにより、第２の電源３０における電気エネルギーの残量が減少した時に第１の電源２０から電力変換装置３１と第３のオン・オフ切り替え手段３２を介して前記第２の電源３０にエネルギーを充電することができ、エネルギーを最小限の時間で効率よく補充することができるので、第２の電源３０を利用して動作している機器を常に動作させ使用者の情報を読み取り動作に反映させたり、機器の異常を警告したりして安全性を向上させることができる。
【００６７】
（実施の形態５）
図５は、本発明の実施の形態５における加熱装置としての誘導加熱装置の構成を示している。実施の形態１〜４と同一要素については同一符号を付してその説明を省略し、相違点を中心に説明する。
【００６８】
本実施の形態においては、時計３４を備え、任意に設定した時刻になると第３のオン・オフ切り替え手段３２を駆動し、第１の電源２０から電力変換装置３１を介して第２の電源３０にエネルギーを充電するようにしている。具体構成は、時計３４の入力端子３４ａと３４ｂは第２の電源３０の出力端子３０ｅと３０ｆに接続され、時計３４の出力端子３４ｃと３４ｄは第３のオン・オフ切り替え手段３２の入力端子３２ｅと３２ｆに接続されている。
【００６９】
次に、上記構成における動作を説明する。ある設定した時刻になると、時計３４が制御信号を出力し第３のオン・オフ切り替え手段３２をオンすることにより、第２の電源３０の充電を開始する。
【００７０】
さらに、ある設定した時刻になると時計３４が制御信号を出力し、第３のオン・オフ切り替え手段３２をオフすることにより、第２の電源３０の充電を停止する。
【００７１】
上記構成において、時計３４を用いることにより、時を刻み任意に設定した時刻になると前記時計３４から発信される制御信号により第３のオン・オフ切り替え手段３２を操作し、第１の電源２０と電力変換装置３１の接続状態を制御することで、第２の電源３０のエネルギー蓄積量が一定以上減少したときに前記第２の電源３０に充電することが可能となり、効率よくエネルギーを補充することができる。
【００７２】
以上のように、本実施の形態では、時計３４を備えたことにより、任意に設定した時刻になると第３のオン・オフ切り替え手段３２を操作し、第１の電源２０から電力変換装置３１を介して第２の電源３０にエネルギーを充電することができ、エネルギーを最小限の時間で効率よく補充することができるので、第２の電源を利用して動作している機器を常に動作させ使用者の情報を読み取り動作に反映させたり、機器の異常を警告したりして安全性を向上させることができる。
【００７３】
（実施の形態６）
図６は、本発明の実施の形態６における加熱装置としての誘導加熱装置の構成を示している。実施の形態１〜５と同一要素については同一符号を付してその説明を省略し、相違点を中心に説明する。
【００７４】
本実施の形態においては、カウントタイマ３５を備え、任意に設定した時間が経過すると第３のオン・オフ切り替え手段３２を駆動し、第１の電源２０から電力変換装置３１を介して第２の電源３０にエネルギーを充電するようにしている。具体構成は、カウントタイマ３５の入力端子３５ａと３５ｂは第２の電源３０の出力端子３０ｅと３０ｆに接続され、カウントタイマ３５の出力端子３５ｃと３５ｄは第３のオン・オフ切り替え手段３２の入力端子３２ｅと３２ｆに接続されている。
【００７５】
次に、上記構成における動作を説明する。ある設定した時間が経過するとカウントタイマ３５が制御信号を出力し、第３のオン・オフ切り替え手段３２をオンすることにより、第２の電源３０の充電を開始する。また、ある設定した時間が経過するとカウントタイマ３５が制御信号を出力し、第３のオン・オフ切り替え手段３２をオフすることにより、第２の電源３０の充電を停止する。
【００７６】
また、本実施の形態においては、第２の電源３０のエネルギー蓄積量や製品の異常などの情報を第２の電源３０をエネルギー源として報知する報知手段をそなえているものである。
【００７７】
また、本実施の形態においては、第２の電源３０として、充放電可能なコンデンサを用いるか、または充放電可能な二次電池を用いることによりエネルギーの蓄積を行うようにしている。
【００７８】
以上のように、本実施の形態では、カウントタイマ３５を備えたことにより、任意に設定した時間が経過した時に第３のオン・オフ切り替え手段３２を操作し、第１の電源２０から電力変換装置３１を介して第２の電源３０にエネルギーを充電することができ、エネルギーを最小限の時間で効率よく補充することができるので、第２の電源３０を利用して動作している機器を常に動作させ使用者の情報を読み取り動作に反映させたり、機器の異常を警告したりして安全性を向上させることができる。
【００７９】
また、第２の電源３０における情報を報知する報知手段を備えたことにより、第２の電源３０におけるエネルギーの残量が減少すると視覚・聴覚などで報知して、前記第２の電源３０の充電時期または交換時期を知らせることができ、前記第２の電源３０のエネルギー量を一定以上に保つことができるので、第２の電源３０を利用して動作している機器を常に動作させ、使用者の情報を読み取り動作に反映させたり、機器の異常を警告したりして安全性を向上させたりすることができる。
【００８０】
また、第２の電源３０は、充放電可能なコンデンサまたは二次電池を用いてエネルギーの蓄積を行うことにより、第２の電源は充放電可能なため、前記第２の電源３０のエネルギーが減少しても第１の電源３０から電力変換装置３１を介して第２の電源３０にエネルギーを充電できるため、第２の電源３０はメンテナンス不要とすることができる。
【００８１】
（実施の形態７）
図７は、本発明の実施の形態７における加熱装置としての誘導加熱装置の構成を示している。実施の形態１〜６と同一要素については同一符号を付してその説明を省略し、相違点を中心に説明する。
【００８２】
本実施の形態においては、第２の電源３０は、充放電不可能な一次電池を用いてエネルギーの蓄積を行うようにしている。
【００８３】
上記構成において、第２の電源３０を一次電池とすることにより、前記第２の電源３０の充電装置である電力変換装置３１、前記電力変換装置３１と第１の電源２０の接続状態を制御していた第３のオン・オフ切り替え手段３２、前記第３のオン・オフ切り替え手段３２を操作していたカウントタイマ３５が不要となり、第１の電源２０と第２の電源３０を完全に分離することができるため、第２のオン・オフ切り替え手段２８や制御信号発生装置２９に電源を供給しながら加熱機器の不使用時の消費電力を零にすることができる。
【００８４】
以上のように、本実施の形態では、第２の電源３０は、充放電不可能な一次電池を用いてエネルギーの蓄積を行うことにより、第１の電源２０と前記第２の電源３０は電気的に接続されず、加熱装置の不使用時における消費電力を零にすることができ、かつ、電力変換装置３１と第３のオン・オフ切り替え手段３２が不要となり、安価な構成にすることが可能である。
【産業上の利用可能性】
【００８５】
以上のように、本発明にかかる加熱装置は、機器の不使用時におけるノイズ除去フィルタなどでの消費電力を零にすることができるので、特に、加熱手段にノイズを発生するインバータ回路を備える可能性を有するＩＨクッキングヒータ、炊飯器、洗濯機、乾燥機、食器洗い乾燥機、エアコン、給湯器、生ごみ処理機など、すべての家事に利用される機器の用途にも適用できる。
【図面の簡単な説明】
【００８６】
【図１】本発明の実施の形態１における加熱装置の構成を示すブロック図
【図２】本発明の実施の形態２における加熱装置の構成を示すブロック図
【図３】本発明の実施の形態３における加熱装置の構成を示すブロック図
【図４】本発明の実施の形態４における加熱装置の構成を示すブロック図
【図５】本発明の実施の形態５における加熱装置の構成を示すブロック図
【図６】本発明の実施の形態６における加熱装置の構成を示すブロック図
【図７】本発明の実施の形態７における加熱装置の構成を示すブロック図
【図８】従来例における加熱装置の構成を示すブロック図
【符号の説明】
【００８７】
２０  第１の電源
２１  電源プラグ
２２  第１のオン・オフ切り替え手段
２３  ノイズ除去フィルタ
２４  整流器
２５  加熱手段（インバータ回路）
２６  冷却装置
２７  加熱部（ワークコイル）
２８  第２のオン・オフ切り替え手段
２９  制御信号発生装置
３０  第２の電源
３１  電力変換装置
３２  第３のオン・オフ切り替え手段
３３  エネルギー残量検出装置
【図１】
2007042483.tif 000003
【図２】
2007042483.tif 000004
【図３】
2007042483.tif 000005
【図４】
2007042483.tif 000006
【図５】
2007042483.tif 000007
【図６】
2007042483.tif 000008
【図７】
2007042483.tif 000009
【図８】
2007042483.tif 000010